(57)【特許請求の範囲】
【請求項１】
火災による温度、侵入、漏水を検知する検知用の少なくとも１本の検知用光ファイバケーブルと監視区域を照明する照明用光ファイバケーブルとをバンドルした１本のワイヤーを備え、前記ワイヤーは監視する所定の箇所に敷設され、また、前記検知用光ファイバケーブルと接続する防災受信機を備え、
前記防災受信機は、前記検知用光ファイバケーブルに接続されて火災による温度を検知する火災検知手段、侵入を検知する侵入検知手段、漏水を検知する漏水検知手段と、前記火災検知手段、前記侵入検知手段、前記漏水検知手段で検知した異常信号を受け、警報を発する警報発生手段と、異常信号に応じた異常内容及び異常発生箇所を外部へ報知する報知手段を有しており、
前記火災検知手段は、前記検知用光ファイバケーブルからの後方散乱光を受光し、前記検知用光ファイバケーブルに加わった熱により変化した後方散乱光の強度によって温度を測定するように構成されており、
前記侵入検知手段は、前記検知用光ファイバケーブルからの後方散乱光を受光し、後方散乱光の強度または周波数のシフトによって前記検知用光ファイバケーブルの歪みを検知することで、侵入を検知するように構成されており、
前記漏水検知手段は、前記検知用光ファイバケーブルからの後方散乱光を受光し、後方散乱光の強度または周波数シフト量の変化によって前記検知用光ファイバケーブルの歪みを検知することで、漏水を検知するように構成されており、
前記検知用光ファイバケーブルの歪みによって検知する侵入と漏水との区別は、歪みの与えられている時間の長さによって判断するように構成されていることを特徴とする火災、侵入、漏水等の検知及び照明手段を備えた検知および報知システム。
【請求項２】
前記照明用光ファイバケーブルは、複数の光ファイバ心線で構成され、各光ファイバ心線と光源部を接続し、前記火災検知手段、前記侵入検知手段、前記漏水検知手段で検知した異常信号を受けたとき、異常発生箇所が発生した監視区域に配置された前記照明用光ファイバケーブルの光ファイバ心線の光源部の光量を制御する機能を有する制御部を備えたことを特徴とする請求項１に記載の火災、侵入、漏水等の検知及び照明手段を備えた検知および報知システム。
【請求項３】
前記検知用光ファイバケーブルは１本の光ファイバケーブルで構成されていることを特徴とする請求項１又は２のいずれか１項に記載の火災、侵入、漏水等の検知及び照明手段を備えた検知および報知システム。
【請求項４】
前記検知用光ファイバケーブルは、火災による温度の検知用の光ファイバケーブルと、侵入及び漏水の検知用の光ファイバケーブルが前記ワイヤーにバンドルされて１本に構成され、火災による温度の検知用の光ファイバケーブルに前記火災検知手段が接続され、侵入及び漏水の検知用の光ファイバケーブルに前記侵入検知手段と前記漏水検知手段が接続されていることを特徴とする請求項１又は２のいずれか１項に記載の火災、侵入、漏水等の検知及び照明手段を備えた検知および報知システム。
【請求項５】
前記検知用光ファイバケーブルは、火災による温度、侵入、漏水のそれぞれの検知用の複数の光ファイバケーブルが前記ワイヤーにバンドルされて１本に構成され、火災による温度、侵入、漏水のそれぞれの検知用の光ファイバケーブルに前記火災検知手段、前記侵入検知手段、前記漏水検知手段が別々に接続されていることを特徴とする請求項１又は２のいずれか１項に記載の火災、侵入、漏水等の検知及び照明手段を備えた検知及び報知システム。
【請求項６】
前記防災受信機に有する前記火災検知手段、前記侵入検知手段、前記漏水検知手段は、
１台のブリルアン散乱検知手段としていずれもブリルアン散乱を検知方法に利用するものであることを特徴とする請求項１乃至３のいずれか１項に記載の火災、侵入、漏水等の検知及び照明手段を備えた検知及び報知システム。
【請求項７】
前記防災受信機に有する前記火災検知手段はラマン散乱を検知方法に利用するものであり、前記侵入検知手段及び前記漏水検知手段はレイリー散乱を検知方法に利用するものであることを特徴とする請求項１乃至５のいずれか１項に記載の火災、侵入、漏水等の検知及び照明手段を備えた検知および報知システム。
【請求項８】
前記防災受信機に有する前記火災検知手段はラマン散乱を検知方法に利用するものであり、前記侵入検知手段は光ファイバリング干渉型を検知方法に利用するものであり、前記漏水検知手段はレイリー散乱を検知方法に利用するものであることを特徴とする請求項１乃至５のいずれか１項に記載の火災、侵入、漏水等の検知及び照明手段を備えた検知および報知システム。
【請求項９】
前記ワイヤーは検知する所定の床に敷設されることを特徴とする請求項１乃至８のいずれか１項に記載の火災、侵入、漏水等の検知及び照明手段を備えた検知および報知システム。
【発明の詳細な説明】
【技術分野】
【０００１】
本発明は、ビル、家屋、工場、スマートハウス、データセンターなどの建造物における火災、侵入、漏水等を検知して警報を発する火災、侵入、漏水等の検知手段と監視区域を照明する照明手段を備えた検知および報知に関するシステムに関するものである。
【背景技術】
【０００２】
ビル、家屋、工場、スマートハウス、データセンターなどの建造物における火災、侵入、漏水等の検知手段として、例えば、火災の検知にあっては、煙感知器や熱感知器によって火災を検知し（例えば、特許文献１、２参照。）、また、侵入の検知にあっては、赤外線ビーム探知器や人感センサによって不法侵入を検知し（例えば、特許文献３参照。）、また、漏水感知にあっては、一対の検知用電極を配置しておき、漏水により浸漬されて一対の検知用電極が短絡することにより漏水を検知する（例えば、特許文献４参照。）検知手段がある。
また、照明手段として、照明したい箇所に照明器を配置し、給電用の電線を配線して照明する手段がある。
【０００３】
これらの検知手段や照明手段は別々の装置により防災を担当しており、共通する構成がないことから、照明を含め火災、侵入、漏水等を検知する機能を統合するには装置が複雑となり敷設作業上、また管理上の点から困難とされ、これらの機能を統合した検知と報知に関するシステムはない。
【先行技術文献】
【特許文献】
【０００４】
【特許文献１】特開昭５９−１３２０９４号公報
【特許文献２】特開２００２−１３３５５０号公報
【特許文献３】特開２００６−９９５０１号公報
【特許文献４】特開２００９−１７５８１１号公報
【発明の概要】
【発明が解決しようとする課題】
【０００５】
上記のように、従来は、照明を含め火災、侵入、漏水等を検知する機能を統合する検知と報知に関するシステムはなかった。そのため１つの建造物に照明を含む火災、侵入、漏水等を検知する検知と報知に関するシステムを備えようと、それぞれ検知システムを別々の作業で敷設しなければならず、また、それらの検知システムを統合して報知するシステムもないため、個別に報知システムを構築しなければならず、構成が複雑となり、敷設作業が複雑となり、システムの占有面積が大きくなり、有効面積が狭められることになるといった問題があった。
【０００６】
本発明者は、かかる問題を解決すべく研究を重ねた結果、光ファイバの機能に着目した。
光ファイバの機能を利用した検知手段として、例えば、後方散乱光を受光し、光ファイバに加わった熱により変化したラマン散乱光強度によって温度を算出し温度を検知するとともに、ラマン散乱光が入射端に戻ってくるまでの時間をＯＴＤＲ（Optical Time Domain Reflect-meter）の手法で測定することにより熱が加わった光ファイバ中の位置を特定する光ファイバ式分布形温度センサが知られており（特開平７−１６７７１７号公報）、火災の熱を検知する機能を利用することにより火災の検知が可能となる。
【０００７】
また、光ファイバ中のブリルアン散乱光の強度により温度を測定し後方散乱光が入射端に戻ってくるまでの時間から光ファイバ中の位置を特定し、さらに、ブリルアン散乱光の周波数のシフトによって光ファイバに触れることによる光ファイバの歪みを検知するとともに、ブリルアン散乱光が入射端に戻ってくるまでの時間を測定することにより歪みが発生した箇所を特定することができることが知られている（特開平４−２４８４２６号公報）。
【０００８】
また、光ファイバをループ状に敷設し、光ファイバの端部に光分岐結合素子を接続し、光ファイバの端部に光源から発せられた光を時計回り及び反時計回りに伝播させ、伝播光の遅延時間の差を位相変位として検出し（光ファイバリング干渉型）光ファイバに振動があったことを検知するとともに、振動が発生した場所を特定することができることが知られている（特開２０００−４６５６４号公報）。
この機能を侵入者の検知装置として光ファイバ中の干渉光の強度変化から光ファイバの振動と振動位置を検知し侵入を検知する光ファイバリング干渉型センサによる侵入者検知装置が知られている（特開２００５−３４５１３７号公報）。
【０００９】
また、光ファイバに膨張性又は収縮性の高分子系吸水材を設けておき、ブリルアン散乱光の戻りを受光し、ブリルアン散乱光の周波数の変化によって、吸水した高分子系吸水材の膨張又は収縮により光ファイバに歪みがあったことを検知するとともに、ブリルアン散乱光が入射端に戻ってくるまでの時間を測定する（Ｂ−ＯＴＤＲ）ことにより歪みが発生した箇所を特定できることが知られている（特開２００４−４５２２６号公報。）
【００１０】
また、光ファイバに膨張性の押圧部材を設けておき、レイリー散乱光の戻りを受光し、レイリー散乱光の戻り光量の変化によって、吸水した押圧部材の膨張により光ファイバに歪みによる伝送損失の増加があったことを検知するとともに、レイリー散乱光が入射端に戻ってくるまでの時間を測定する（ＯＴＤＲ）ことにより歪みが発生した箇所を特定できることが知られている（特開２００４−４５２１８号公報）。
【００１１】
このようにレイリー散乱による光ファイバに加わった歪を光ファイバの損失から検知するＯＴＤＲについては特開平３−６８８２５号公報に開示されている。また、ＯＴＤＲについてはレイリー散乱をヘテロダイン受信して感度を向上させるＣ−ＯＴＤＲ（Coherent-Optical Time Domain Reflectometer）と光ファイバの歪によるブリルアン散乱現象によるＢ−ＯＴＤＲ（Brillouin Optical Time Domain Reflectometer）が特開２０１１−１７６５２号公報に開示されている。
【００１２】
また、照明にあっては、光ファイバに光を入射し、端部に設けた照明器から照射する照明手段が知られている（特開２００５−７１８７０号公報）。
本発明者は、このような光ファイバの機能について光ファイバをバンドルすることによって１本のワイヤーで行えるようにすることにより本発明を完成するに至った。
【００１３】
本発明の目的は、照明を含む火災、侵入、漏水等を検知する機能を１本のワイヤーで統合して行えるようにすることにより、建造物への配線などの敷設作業を容易にするとともに、システムの簡素化、小型化、省スペース化を図ることができる火災、侵入、漏水等の検知及び照明手段を備えた検知および報知システムを提供することにある。
【課題を解決するための手段】
【００１４】
上記目的を達成するために、請求項に記載の発明は、火災による温度、侵入、漏水を検知する検知用の少なくとも１本の検知用光ファイバケーブルと監視区域を照明する照明用光ファイバケーブルとをバンドルした１本のワイヤーを備え、前記ワイヤーは監視する所定の箇所に敷設され、また、前記検知用光ファイバケーブルと接続する防災受信機を備え、前記防災受信機は、前記検知用光ファイバケーブルに接続されて火災による温度を検知する火災検知手段、侵入を検知する侵入検知手段、漏水を検知する漏水検知手段と、前記火災検知手段、前記侵入検知手段、前記漏水検知手段で検知した異常信号を受け、警報を発する警報発生手段と、異常信号に応じた異常内容及び異常発生箇所を外部へ報知する報知手段を有しており、前記火災検知手段は、前記検知用光ファイバケーブルからの後方散乱光を受光し、前記検知用光ファイバケーブルに加わった熱により変化した後方散乱光の強度によって温度を測定するように構成されており、前記侵入検知手段は、前記検知用光ファイバケーブルからの後方散乱光を受光し、後方散乱光の強度または周波数のシフトによって前記検知用光ファイバケーブルの歪みを検知することで、侵入を検知するように構成されており、前記漏水検知手段は、前記検知用光ファイバケーブルからの後方散乱光を受光し、後方散乱光の強度または周波数シフト量の変化によって前記検知用光ファイバケーブルの歪みを検知することで、漏水を検知するように構成されており、前記検知用光ファイバケーブルの歪みによって検知する侵入と漏水との区別は、歪みの与えられている時間の長さによって判断するように構成されていることを特徴とする。
【００１５】
請求項１に記載の発明によれば、１本のワイヤーで火災、侵入、漏水等を検知し、また所定の箇所を照明することができるので、建造物への配線などの敷設作業を容易にするとともに、システムの簡素化、小型化、省スペース化を図ることができ、そして、前記検知用光ファイバケーブルに接続されて火災による温度を検知する前記火災検知手段、前記侵入検知手段、前記漏水検知手段で検知した異常信号を受け、警報発生手段が警報を発し、報知手段が異常信号に応じた異常内容及び異常発生箇所を外部へ報知するので、速やかな防災活動が可能となる。また、照明用光ファイバケーブルの光ファイバ心線に光を入射することにより監視区域の状態を容易に確認することができるので、速やかな防災活動が可能となる。
【００１６】
請求項２に記載の発明は、請求項１に記載の、前記照明用光ファイバケーブルは、複数の光ファイバ心線で構成され、各光ファイバ心線と光源部を接続し、前記火災検知手段、前記侵入検知手段、前記漏水検知手段で検知した異常信号を受けたとき、異常発生箇所が発生した監視区域に配置された前記照明用光ファイバケーブルの光ファイバ心線の光源部の光量を制御する機能を有する制御部を備えたことを特徴としている。
【００１７】
請求項２に記載の発明によれば、前記火災検知手段、前記侵入検知手段、前記漏水検知手段で検知した異常信号を受けたとき、異常信号を受けた箇所の監視区域に配置された前記照明用光ファイバケーブルの光ファイバ心線の光源部の光量が制御され、当該監視区域が明確に照明されるので、監視区域に監視カメラを備えて置けば、直ちに異常状態を確認することができ、一層速やかな且つ効果的な防災活動が可能となる。
【００１８】
請求項３に記載の発明は、請求項１又は２のいずれか１項に記載の、前記検知用光ファイバケーブルは１本の光ファイバケーブルで構成されていることを特徴としている。
【００１９】
請求項３に記載の発明によれば、建造物への配線などの敷設作業を一層容易にするとともに、システムの一層の簡素化、小型化、省スペース化を図ることができる。
【００２０】
請求項４に記載の発明は、請求項１又は２のいずれか１項に記載の、前記検知用光ファイバケーブルは、火災による温度の検知用の光ファイバケーブルと、侵入及び漏水の検知用の光ファイバケーブルが前記ワイヤーにバンドルされて１本に構成され、火災による温度の検知用の光ファイバケーブルに前記火災検知手段が接続され、侵入及び漏水の検知用の光ファイバケーブルに前記火災検知手段と前記漏水検知手段が接続されていることを特徴としている。
【００２１】
請求項４に記載の発明によれば、前記検知用光ファイバケーブルは、火災による温度の検知用の光ファイバケーブルと、侵入及び漏水の検知用の光ファイバケーブルが前記ワイヤーにバンドルされて１本に構成され、火災による温度の検知用の光ファイバケーブルに前記火災検知手段が接続され、侵入及び漏水の検知用の光ファイバケーブルに前記侵入検知手段と前記漏水検知手段が接続されているので、建造物への配線などの敷設作業の容易化、システムの簡素化、小型化、省スペース化を図ることができるとともに、火災、侵入、漏水を高分解能で高精度に検知することができる。
【００２２】
請求項５に記載の発明は、請求項１又は２のいずれか１項に記載の、前記検知用光ファイバケーブルは、火災による温度、侵入、漏水のそれぞれの検知用の複数の光ファイバケーブルが前記ワイヤーにバンドルされて１本に構成され、火災による温度、侵入、漏水のそれぞれの検知用の光ファイバケーブルに前記火災検知手段、前記侵入検知手段、前記漏水検知手段が別々に接続されていることを特徴としている。
【００２３】
請求項５に記載の発明によれば、前記検知用光ファイバケーブルは、火災による温度、侵入、漏水のそれぞれの検知用の複数の光ファイバケーブルが前記ワイヤーにバンドルされて１本に構成され、火災による温度、侵入、漏水のそれぞれの検知用の光ファイバケーブルに前記火災検知手段、前記侵入検知手段、前記漏水検知手段が別々に接続されているので、建造物への配線などの敷設作業の容易化、システムの簡素化、小型化、省スペース化を図ることができるとともに、火災、侵入、漏水を一層の高分解能で高精度に検知することができる。
【００２４】
請求項６に記載の発明は、請求項１乃至３のいずれか１項に記載の、前記防災受信機に有する前記火災検知手段、前記侵入検知手段、前記漏水検知手段は、１台のブリルアル散乱検知手段としていずれもブリルアン散乱を検知方法に利用するものであることを特徴としている。
【００２５】
請求項６に記載の発明によれば、前記防災受信機に有する前記火災検知手段、前記侵入検知手段、前記漏水検知手段は、いずれもブリルアン散乱を検知方法に利用するので、前記火災検知手段、前記侵入検知手段、前記漏水検知手段を１台の検知手段として構成することができ、これにより、敷設が簡単となり、一層の省スペース化と、前記防災受信機の小型化が図れる。
【００２６】
請求項７に記載の発明は、請求項１乃至５のいずれか１項に記載の、前記防災受信機に有する前記火災検知手段はラマン散乱を検知方法に利用するものであり、前記侵入検知手段及び前記漏水検知手段はレイリー散乱を検知方法に利用するものであることを特徴としている。
【００２７】
請求項７に記載の発明によれば、火災の発生と発生箇所を速やかに且つより高分解能で検知でき、また、侵入と漏水の発生および発生箇所をより高分解能で検知できる。
【００２８】
請求項８に記載の発明は、請求項１乃至５のいずれか１項に記載の、前記防災受信機に有する前記火災検知手段はラマン散乱を検知方法に利用するものであり、前記侵入検知手段は光ファイバリング干渉型を検知方法に利用するものであり、前記漏水検知手段はレイリー散乱を検知方法に利用するものであることを特徴としている。
【００２９】
請求項８に記載の発明によれば、火災の発生と発生箇所を速やかに且つより高分解能で検知でき、また、侵入を速やかに且つより高分解能で検知でき、また、漏水の発生および発生箇所をより高分解能で検知できる。
【００３０】
請求項９に記載の発明は、請求項１乃至８のいずれか１項に記載の、前記ワイヤーは検知する所定の床に敷設されることを特徴としている。
【００３１】
請求項９に記載の発明によれば、火災の発生と発生箇所を速やかに検知でき、また、侵入を速やかに検知でき、また、漏水の発生および発生箇所をより速やかに検知できる。
【発明の効果】
【００３２】
本発明に係る火災、侵入、漏水等の検知及び照明手段を備えた検知及び報知システムは、照明を含む火災、侵入、漏水等を検知する機能を１本のワイヤーで統合して行えるようにしたので、建造物への配線などの敷設作業を容易にするとともに、システムの簡素化、小型化、省スペース化を図ることができる。
【図面の簡単な説明】
【００３３】
【図１】本発明に係る火災、侵入、漏水等の検知及び照明手段を備えた検知及び報知システムの第１実施例を示す概要構成説明図である。
【図２】図１に示す検知用光ファイバケーブルの拡大縦断面図である。
【図３】図２に示す検知用光ファイバケーブルのＡ−Ａ線断面図である。
【図４】本発明に係る火災、侵入、漏水等の検知及び照明手段を備えた検知及び報知システムの第２実施例を示す概要構成説明図である。
【図５】本発明に係る火災、侵入、漏水等の検知及び照明手段を備えた検知及び報知システムの第３実施例を示す概要構成説明図である。
【図６】本発明に係る火災、侵入、漏水等の検知及び照明手段を備えた検知及び報知システムの第４実施例を示す概要構成説明図である。
【図７】本発明に係る火災、侵入、漏水等の検知及び照明手段を備えた検知及び報知システムを建造物へ施工した一例を示す説明図である。
【発明を実施するための形態】
【００３４】
以下、本発明に係る火災、侵入、漏水等の検知及び照明手段を備えた検知及び報知システムの実施の形態の一例を図１乃至図７を参照して詳細に説明する。
本発明に係る火災、侵入、漏水等の検知及び照明手段を備えた検知システムは、火災による温度、侵入、漏水を検知する検知用の１本の検知用光ファイバケーブル１と監視区域を照明する照明用光ファイバケーブル２とをバンドルした１本のワイヤー３と、検知用光ファイバケーブル１と接続する防災受信機４とを備えている。
【００３５】
防災受信機４は、検知用光ファイバケーブル１の少なくとも１本の光ファイバケーブルに接続されて火災による温度を検知する火災検知手段６、侵入を検知する侵入検知手段７、漏水を検知する漏水検知手段８と、火災検知手段６、侵入検知手段７、漏水検知手段８で検知した異常信号を受け、警報を発する警報発生手段９と、異常内容及び異常発生箇所を外部へ報知する報知手段１０を有している。
【００３６】
防災受信機４に備えている火災検知手段６は、検知用光ファイバケーブル１の光ファイバケーブルからの後方散乱光を受光し、光ファイバケーブルに加わった火災の熱により変化した後方散乱光の強度によって温度を測定し熱を検知するとともに、後方散乱光が入射端に戻ってくるまでの時間を測定することにより熱が加わった光ファイバケーブルの箇所から場所を特定する機能を有する火災による温度検知器が使用される。火災による温度検知器は、例えば、４０℃〜１００℃の範囲で異常温度とする閾値温度を設定しておき、測定した温度が短時間で異常温度に上昇したら火災と判断するとともに、検知した光ファイバケーブルの箇所から場所を特定する。火災検知手段６における後方散乱光の検知方法では、ブリルアン散乱、ラマン散乱のアンチストーク光が利用される。
【００３７】
また、火災の判断方法としては温度の上昇する時間ではなく、検知用光ファイバケーブル１が敷設されている部屋内の各箇所で温度を検知して平均温度を算出し、平均温度に対する温度の差分から異常温度と箇所を検知してもよい。また、検知用光ファイバケーブル１が敷設されている部屋内の温度を感知する箇所を特定して、例えば終端器内の検知用光ファイバケーブルを部屋内の温度としてその温度との差分から異常温度と箇所を検知してもよい。これにより、徐々に温度が上昇するような火災の場合でも、速やかに火災を検知できる。
【００３８】
また、侵入検知手段７は、検知用光ファイバケーブル１の光ファイバケーブルからの後方散乱光を受光し、後方散乱光の強度または周波数の変化によって光ファイバケーブルに触れることによる光ファイバケーブルに歪みがあったことを検知するとともに、後方散乱光が入射端に戻ってくるまでの時間を測定することにより歪みが発生した箇所を特定する機能を有する侵入検知器が使用される。侵入者の歩行時に床にかかる体重による光ファイバの歪みがあったことを検知したら侵入検知器は侵入があったと判断するとともに、検知した光ファイバケーブルの箇所から場所を特定する。侵入検知手段７における後方散乱光の検知方法では、ブリルアン散乱によるブリルアン周波数シフト量、レイリー散乱による後方散乱光強度の歪による伝送損失の低下が利用される。
【００３９】
また、侵入検知手段７として、検知用光ファイバケーブル１の光ファイバケーブルをループ状に敷設し、光ファイバケーブルに光分岐結合素子を接続し、光ファイバケーブルに光源から発せられた光を時計回り及び反時計回りに伝播させ、伝播光の遅延時間の差を位相変化として検出し（光ファイバリング干渉型）、光ファイバケーブルに振動があったことを検知し、振動があったことを検知したら侵入があったと判断するとともに、検知した箇所を特定する光ファイバリング干渉型を検知方法とする侵入検知器を使用することもできる。
【００４０】
また、漏水検知手段８は、検知用光ファイバケーブル１を構成する光ファイバケーブルを被覆している外被覆の内側に膨張性又は収縮性の高分子系吸水材を設けておき、光ファイバケーブルからの後方散乱光を受光し、後方散乱光の強度または周波数の変化によって、吸水した高分子系吸水材の膨張又は収縮により光ファイバケーブルに歪みがあったことを検知するとともに、後方散乱光が入射端に戻ってくるまでの時間を測定することにより歪みが発生した箇所を特定する機能を有する漏水検知器が使用される。歪みがあったことを検知したら漏水検知器は漏水があったと判断するとともに、検知した光ファイバケーブルの箇所から場所を特定する。漏水検知手段８における後方散乱光の検知方法では、ブリルアン散乱によるブリルアン周波数シフト量、レイリー散乱による後方散乱光強度の歪による伝送損失の低下が利用される。
【００４１】
光ファイバケーブルの歪みによって検知する侵入と漏水との区別にあっては、歪みの与えられている時間の長さによって判断する。侵入の場合は侵入者の歩行などによって同じ箇所で長時間に渡って歪みが発生することは無く歪みの量つまり伝送損失の低下も短時間で変動するが、漏水の場合は同じ箇所で長時間にわたって歪みが発生するので区別できる。
【００４２】
また、検知用光ファイバケーブル１は、１本の光ファイバケーブルからなるものでもよく、また、火災の温度、侵入、漏水の検知用の複数の光ファイバケーブルを用意し、これを一本に束ねてワイヤーとしてもよい。検知用光ファイバケーブル１が１本の光ファイバケーブルからなる場合は、検知用光ファイバケーブル１に接続される火災検知手段６、侵入検知手段７、漏水検手段８は光路分岐器（図示せず。）を介して１本の光ファイバケーブルに接続されてもよい。また、検知用光ファイバケーブル１が２本の光ファイバケーブルからなる場合は、１本の検知用光ファイバケーブル１に火災検知手段６が接続され、他の１本の検知用光ファイバケーブル１に光路分岐器（図示せず。）を介して侵入検知手段７、漏水検手段８が接続されてもよい。検知用光ファイバケーブル１が火災による温度、侵入、漏水を別々に検知する複数の光ファイバケーブルからなる場合は、それぞれの光ファイバケーブル毎に火災検知手段６、侵入検知手段７、漏水検手段８が個別に接続される。
【００４３】
また、検知用光ファイバケーブル１が１本の光ファイバケーブルからなる場合でも、ブリルアン散乱検知手段を利用する場合は、ブリルアン散乱検知手段が火災検知手段６、侵入検知手段７、漏水検手段８を兼ねるので、ブリルアン散乱検知手段を１本の光ファイバケーブルに接続すればよい。
【００４４】
以上の検知用光ファイバケーブル１はシングルモードファイバとすることが検知の感度と検知箇所の位置の特定のために好ましい。ワイヤーは引っ張り強度を得るためにテンションメンバを有しても良く、検知精度を著しく落とさない程度に外層を被覆しても良い。また、検知用光ファイバケーブル１自身も必要に応じてテンションメンバを有しても良い。
【００４５】
また、防災受信機４の警報発生手段９は配線１１で警報器１２と接続され、火災検知手段６、侵入検知手段７、漏水検知手段８で検知した異常信号を受けたとき、警報器１２に警報発生を指示する。
また、異常内容及び異常発生箇所を外部へ報知する防災受信機４の報知手段１０は外部にある警備員室、消防署、警察署等の関係部所と通信線１３で接続され、異常信号を受けたとき、異常の内容及び異常箇所の情報を関係部所へ報知する。本例では、報知手段１０による外部への報知は通信線１３を介して行うが、無線で行ってもよい。
【００４６】
また、ワイヤー３にバンドルされている照明用光ファイバケーブル２は、本例では、照明箇所の数に応じて複数本の光ファイバ心線２ａの束で構成されている。光ファイバ心線２ａに光を入射する光源部１４にあっては、各光ファイバ心線２ａに別々に入射でき、各々の光量をＯＮ／ＯＦＦ、増減、点滅などの制御ができる。
【００４７】
また、各光ファイバ心線２ａの光源部１４と防災受信機４の火災検知手段６、侵入検知手段７、漏水検知手段８とは盤内配線で接続されており、火災検知手段６、侵入検知手段７、漏水検知手段８で検知した異常信号を受けたとき、異常発生箇所が発生した監視区域に配置された照明用光ファイバケーブル２における光ファイバ心線２ａの光源部１４の各々の光量の制御する機能を有する制御部１６が備えられている。光源部１４の各々の光量の制御方法としては、照明状態をＯＦＦからＯＮにする、ＯＮとＯＦＦを繰り返す点滅とする、保安灯の暗い状態から明るい照明状態とするなど各種あり、状況に即した制御方法とすればよい。
【００４８】
このように構成された火災、侵入、漏水等の検知及び照明手段を備えた検知および報知システムの施工にあっては、防災受信機４をビル、家屋、工場、スマートハウス、データセンターなどの建造物の適宜の場所に設置し、検知用光ファイバケーブル１と照明用光ファイバケーブル２をバンドルしたワイヤー３を建造物内あるいは外における監視区域に、満遍なく且つ一筆書き状に敷設する。例えば、建造物の出入り口から続く監視の必要とされる通路、部屋などに、監視内容に応じて床、壁、天井といった箇所に張り巡らせるように敷設する。
【００４９】
このとき、ワイヤー３による検知が速やかにかつ検知箇所の特定を高分解能に精度良く行われるように、通路に対して密に配線されるように蛇行して設けられても良い。侵入者の歩行による床の振動や歪を感知するため床または通路へ配線し敷設するのがより好ましい。ワイヤー３を敷設する場合は、火災と侵入を感知するためにできるだけ床や通路の表面に近いところに敷設するのが良い。床材の表層下部にワイヤー３を敷設するとき、表層に固定されるように敷設する。このようにすることで、侵入者の振動や歪を高感度に感知できる。なお、温度変化による表層のストレスをワイヤー３に伝達しないように表層に固定されていない箇所を設けても良い。
【００５０】
また、照明用光ファイバケーブル２からは光ファイバ心線２ａを、照明が必要な監視区域毎に切り分けて配置する。検知用光ファイバケーブル１の先端には終端器１９を取り付け、また、照明用光ファイバケーブル２から切り分けた光ファイバ心線２ａの先端には照明器２０を取り付ける。
警報発生手段９に接続されている警報器１２は建造物に設置しておく必要はなく、建造物から離れた場所、例えば警備員室などに設置してもよい。
【００５１】
図７は、本発明に係る火災、侵入、漏水等の検知及び照明手段を備えた検知及び報知システムを建造物２８へ施工した一例を示す説明図であり、本例では、防災受信機４及び警報器１２を建造物２８の適宜の場所に設置し、検知用光ファイバケーブル１と照明用光ファイバケーブル２をバンドルしたワイヤー３を建造物２８の出入り口２９から続く監視の必要とされる通路３０に、満遍なく密に配線されるように蛇行し且つ一筆書き状に敷設している。そして、照明用光ファイバケーブル２からは光ファイバ心線２ａを、照明が必要な監視区域毎に切り分け、切り分けた光ファイバ心線２ａの先端には照明器２０を取り付けて壁３１に設置している。
【００５２】
以上のように構成される火災、侵入、漏水等の検知及び照明手段を備えた検知及び報知システムは、検知用光ファイバケーブル１と照明用光ファイバケーブル２をバンドルしたワイヤー３を敷設した建造物内あるいは外における監視区域で、火災が発生した場合、検知用光ファイバケーブル１の光ファイバケーブルからの後方散乱光を受光した火災検知手段６が温度を測定して火災と判断される温度を検知するとともに検知した場所を特定することにより、火災と火災箇所を検知して異常信号を警報発生手段９および報知手段１０に発信し、異常信号を受けた警報発生手段９は警報器１２に警報発生を指示し、報知手段１０は外部にある警備員室、消防署等の関係部所へ火災と火災箇所を報知する。
【００５３】
そして、火災検知手段６で検知した異常信号を受けたとき、制御部１６は火災が発生した監視区域に配置された照明用光ファイバケーブル２における各光ファイバ心線２ａの光源部１４を制御し、当該監視区域において所定の照明をする。
【００５４】
また、侵入があった場合、検知用光ファイバケーブル１の光ファイバケーブルからの後方散乱光を受光した侵入検知手段７が歪みを検知するとともに歪みが発生した場所を特定することにより、侵入と侵入箇所を検知して異常信号を警報発生手段９および報知手段１０に発信し、異常信号を受けた警報発生手段９は警報器１２に警報発生を指示し、報知手段１０は外部にある警備員室、警察署等の関係部所へ侵入と侵入箇所を報知する。
そして、侵入検知手段７で検知した異常信号を受けたとき、制御部１６は侵入が発生した監視区域に配置された照明用光ファイバケーブル２における光ファイバ心線２ａの光源部１４を制御し、当該監視区域において所定の照明をする。
【００５５】
なお、侵入を検知して警報を発する場合は、防災受信機において、人が立ち入らない時間帯あるいは許可された者が立ち入っていないときに侵入と判断して警報器１２に警報発生を指示し、また、報知手段１０は通信線１３で接続された関係部所に報知する。
【００５６】
また、漏水があった場合、検知用光ファイバケーブル１の光ファイバケーブルからの後方散乱光を受光した漏水検知手段８が歪みを検知するとともに歪みが発生した場所を特定することにより、漏水と漏水箇所を検知して異常信号を警報発生手段９および報知手段１０に発信し、異常信号を受けた警報発生手段９は警報器１２に警報発生を指示し、報知手段１０は外部にある警備員室等の関係部所へ漏水と漏水箇所を報知する。
そして、漏水検知手段８で検知した異常信号を受けたとき、制御部１６は漏水が発生した監視区域に配置された照明用光ファイバケーブル２における光ファイバ心線２ａの光源部１４を制御し、当該監視区域において所定の照明をする。
【００５７】
このように、火災、侵入、漏水等の検知及び照明手段を備えた検知及び報知システムによれば、火災、侵入、漏水等を確実に検知でき、火災検知手段６、侵入検知手段７、漏水検知手段８で検知した異常信号を受け、警報発生手段９が警報器１２に警報発生を指示し、報知手段１０が異常内容及び異常発生箇所を外部へ報知するとともに、異常発生箇所を照明するので速やかな防災活動が可能となる。このとき、異常発生箇所を監視カメラ（図示せず）で撮影し警備員室でモニターすることで、異常発生箇所の状況を速やかに確認でき、速やかに必要な防災対応をとることができ、また、誤報であった場合は警報を解除できる。誤報であった場合は、通信線１３を介して防災受信機を復旧することもできる。
【００５８】
また、検知用光ファイバケーブル１に照明用光ファイバケーブル２をバンドルして１本のワイヤー３としたので、建造物への配線などの敷設作業を容易にするとともに、システムの簡素化、小型化、省スペース化が図れる。
【００５９】
次に、本発明に係る火災、侵入、漏水等の検知及び照明手段を備えた検知および報知及び報知システムの実施例を説明する。
（第１実施例）
図１は本発明に係る火災、侵入、漏水等の検知及び照明手段を備えた検知及び報知システムの第１実施例を示すものである。
本例は、検知用光ファイバケーブル１に照明用光ファイバケーブル２をバンドルして１本のワイヤー３となっている。本例では、検知用光ファイバケーブル１は、火災による温度、侵入、漏水の検知用の１本の光ファイバケーブル１ａで構成され、防災受信機４に有する火災検知手段６、侵入検知手段７、漏水検手段８に接続されている。
【００６０】
本例では、火災検知手段６、侵入検知手段７、漏水検手段８を有するブリルアン散乱を利用する検知方法であるブリルアン散乱検知手段５を利用している。
ワイヤー３には、ワイヤー３に沿ってテンションメンバ（図示せず。）が配置されている。
【００６１】
火災検知はブリルアン散乱の後方散乱光強度を測定して温度を検知する機能から火災を検知し、侵入検知はブリルアン周波数シフト量を測定して歪を検知し侵入者がワイヤーを踏んだときなどの光ファイバケーブルの歪から侵入を検知し、漏水検知はブリルアン周波数シフト量を測定して歪を検知し検知用光ファイバケーブルに水が浸入して吸収材が変形することによる光ファイバの内部ストレスの歪から漏水を検知する。
【００６２】
検知用光ファイバケーブル１にあっては、本例では、検知用光ファイバケーブル１を構成する検知用光ファイバケーブル１ａを被覆している透水性の外被覆２２の内部の断面において、断面の周方向の一部に、吸水することにより膨張性或いは収縮性のある高分子系吸水材２３が光ファイバケーブル１ａの長手方向に配置されている（図２，図３参照。）。
【００６３】
光ファイバケーブル１ａ段面のうち中心軸から外被覆２２に向かって水によって膨潤する高分子系吸水材２３が配置され、断面積の３０％以上７０％以下が高分子系吸水材２３で残りの断面積が水によって膨潤しないあるいは収縮しない部材２５を設け長手方向に延長する構成として吸水によって光ファイバケーブル１ａを曲げる力を発生させ、光ファイバケーブル１ａに曲げストレスを与え光ファイバケーブル１ａに歪を発生させ、あるいは曲げによる光ファイバケーブル１ａの伝送損失を増加させて漏水を検知する。
【００６４】
また、外被覆２２の内部には、高分子系吸水材２３の軸対称位置に、光ファイバケーブル１ａの長手方向に間欠的に不変形部材２４を配置して、より強く歪や曲げを発生させて検知感度を上げてもよい。
第１実施例の検知用光ファイバケーブル１ａは、後述する第２，３，４実施例の侵入、漏水の検知用の光ファイバケーブル１ｃ、漏水の検知用の光ファイバケーブル１ｅと構造的には一緒である。
【００６５】
照明用光ファイバケーブル２は、本例では、照明箇所の数に応じて複数本の光ファイバ心線２ａの束で構成されており、光ファイバ心線２ａに光を入射する光源部１４にあっては、各光ファイバ心線２ａに別々に入射できるように各々の光量を制御できる。
また、各光ファイバ心線２ａの光源部１４と防災受信機４の火災検知手段６、侵入検知手段７、漏水検知手段８とは盤内配線で接続されており、光源部１４には前記した制御部１６が備えられている。また、各光ファイバ心線２ａの光源部１４と防災受信機４の侵入検知手段７が盤内配線で接続されている。
【００６６】
このように構成される第１実施例によれば、１本の検知用光ファイバケーブル１ａで構成されている検知用光ファイバケーブル１と照明用光ファイバケーブル２がバンドルされて１本のワイヤー３となっているので、建造物への配線などの敷設作業を容易にするとともに、システムの簡素化、小型化、小スペース化を図ることができる。
また、火災検知手段６、侵入検知手段７、漏水検手段８はいずれもブリルアン散乱を検知方法に利用しているので、火災検知手段６、侵入検知手段７、漏水検手段８を１台のブリルアン散乱検知手段５として構成することができ、これにより、敷設が簡単となり、一層の省スペース化と、防災受信機４の小型化が図れる。
【００６７】
また、火災検知手段６、侵入検知手段７、漏水検知手段８で検知した異常信号を受けたとき、警報発生手段９は警報器１２に警報発生を指示し、報知手段１０は外部にある警備員室、警察署等の関係部所へ侵入と侵入箇所を報知し、そして制御部１６は侵入が発生した監視区域に配置された照明用光ファイバケーブル２における光ファイバ心線２ａの光源部１４を制御し、当該監視区域において所定の照明をするので、速やかな防災活動が可能となる。
【００６８】
また本例では、検知用光ファイバケーブル１ａの外被覆２２の内部には、高分子系吸水材２３の軸対称位置に、検知用光ファイバケーブル１ａの長手方向に間欠的に不変形部材２４が配置されているので、高分子系吸水材２３が吸水して膨張或いは収縮したとき、検知用光ファイバケーブル１ａが膨張或いは収縮位置に配置されている不変形部材２４によって検知用光ファイバケーブル１ａの曲がりが大きくなり、検知用光ファイバケーブル１ａの歪や伝送損失が増加することにより、漏水の発生および発生箇所を一層高分解能で高精度に検知できる。
【００６９】
（第２実施例）
図４は本発明に係る火災、侵入、漏水等の検知及び報知システムの第２実施例を示すものである。
本例では検知用光ファイバケーブル１は、火災による温度の検知用の光ファイバケーブル１ｂと、侵入、漏水の検知用の光ファイバケーブル１ｃがワイヤーにバンドルされて１本に構成され、火災による温度の検知用の光ファイバケーブル１ｂに火災検知手段６が接続され、侵入、漏水の検知用の光ファイバケーブル１ｃに光路分機器（図示せず）を介して侵入検知手段７と漏水検知手段８が接続されている。
本例では、火災検知手段６はラマン散乱のアンチストークス光を検知方法に利用し、侵入検知手段７、漏水検手段８はいずれもレイリー散乱を検知方法に利用している。
【００７０】
また、本例にあっても第１実施例と同様に、検知用光ファイバケーブル１は、光ファイバケーブル１ｃを被覆している外被覆の内部に膨張性或いは収縮性のある高分子系吸水材が光ファイバケーブル１ｃの長手方向に配置され、また、高分子系吸水材の軸対称位置に、光ファイバケーブル１ｃの長手方向に間欠的に不変形部材が配置されている（図示せず。）。
他の構成は第１実施例と同様なので、同一の符号を付し、説明を省略する。
このように構成される第２実施例によれば、特に、火災の発生と発生箇所を速やかに且つより高分解能で検知でき、また、侵入と漏水の発生および発生箇所をより高分解能で検知できる。
【００７１】
（第３実施例）
図５は本発明に係る火災、侵入、漏水等の検知及び報知システムの第３実施例を示すものである。
本例では、検知用光ファイバケーブル１は、火災による温度の検知用の光ファイバケーブル１ｂと、侵入の検知用の光ファイバケーブル１ｄと、漏水の検知用の光ファイバケーブル１ｅがワイヤーにバンドルされて１本に構成され、火災による温度の検知用の光ファイバケーブル１ｂに火災検知手段６が、侵入の検知用の光ファイバケーブル１ｄに侵入検知手段７が、漏水の検知用の光ファイバケーブル１ｅに漏水検知手段８が接続されている。
本例では、火災検知手段６はラマン散乱のアンチストークス光を検知方法に利用し、侵入検知手段７、漏水検手段８はいずれもレイリー散乱を検知方法に利用している。
【００７２】
また、本例にあっても第１実施例と同様に、検知用光ファイバケーブル１は、光ファイバケーブル１ｅを被覆している外被覆の内部に膨張性或いは収縮性のある高分子系吸水材が光ファイバケーブル１ｅの長手方向に配置され、また、高分子系吸水材の軸対称位置に、光ファイバケーブル１ｅの長手方向に間欠的に不変形部材が配置されている。
他の構成は第１実施例と同様なので、同一の符号を付し、説明を省略する。
このように構成される第３実施例によれば、特に、火災の発生と発生箇所を速やかに且つより高分解能で検知でき、また、侵入と漏水の発生および発生箇所をより高分解能で検知できる。
【００７３】
（第４実施例）
図６は本発明に係る火災、侵入、漏水等の検知及び報知システムの第４実施例を示すものである。
本例では、検知用光ファイバケーブル１は、第３実施例と同様に、火災による温度の検知用の光ファイバケーブル１ｂと、侵入の検知用の光ファイバケーブル１ｆと、漏水の検知用の光ファイバケーブル１ｅがバンドルされて１本に構成され、火災による温度の検知用の光ファイバケーブル１ｂに火災検知手段６が、侵入の検知用の光ファイバケーブル１ｆに侵入検知手段７が、漏水の検知用の光ファイバケーブル１ｅの端部に漏水検知手段８が接続されている。
【００７４】
本例では、火災検知手段６はラマン散乱のアンチストークス光を検知方法に利用し、侵入検知手段７は光ファイバリング干渉型を検知方法に利用し、漏水検知手段８はレイリー散乱を検知方法に利用している。
【００７５】
また、２本の光ファイバケーブル１ｆの光ファイバリング型センサ用終端器２６の内部では、ボビン（図示せず）に巻回された所定の長さの光ファイバ２７の両端に２本の光ファイバケーブル１ｆの各端部がそれぞれ接続されている。所定の長さの光ファイバ２７は光ファイバリング干渉型において振動を感知する箇所の不感知箇所を発生させないために接続されている。所定の長さは敷設時の光ファイバケーブル１ｆの長さなどの条件による設計によって求められる。本例では２Ｋｍの長さの光ファイバ２７を接続する。また、本例では光ファイバリング型センサ用終端器２６の中に光ファイバボビンを設置しているが、設置場所は光ファイバリング型センサ用終端器２６に限らず不感知箇所をなくす位置であれば、どの位置でも良い。
【００７６】
また、本例にあっても第１実施例と同様に、検知用光ファイバケーブル１は、光ファイバケーブル１ｅを被覆している外被覆の内部に膨張性或いは収縮性のある高分子系吸水材が光ファイバケーブル１ｅの長手方向に配置され、また、高分子系吸水材の軸対称位置に、光ファイバケーブル１ｅの長手方向に間欠的に不変形部材が配置されている。
他の構成は第１実施例と同様なので、同一の符号を付し、説明を省略する。
このように構成される第４実施例によれば、火災の発生と発生箇所を速やかに且つより高分解能で検知でき、また、侵入を速やかに且つより高分解能で検知でき、また、漏水の発生および発生箇所をより高分解能で検知できる。
【符号の説明】
【００７７】
１  検知用光ファイバケーブル
１ａ  火災による温度、侵入、漏水の検知用の光ファイバケーブル
１ｂ  火災による温度の検知用の光ファイバケーブル
１ｃ  侵入、漏水の検知用の光ファイバケーブル
１ｄ  侵入の検知用の光ファイバケーブル
１ｅ  漏水の検知用の光ファイバケーブル
１ｆ  侵入の検知用の光ファイバケーブル
１ｇ  光ファイバ素線
２  照明用光ファイバケーブル
２ａ  光ファイバ心線
３  ワイヤー
４  防災受信機
５  ブリルアン散乱検知手段
６  火災検知手段
７  侵入検知手段
８  漏水検知手段
９  警報発生手段
１０  報知手段
１１  配線
１２  警報器
１３  通信線
１４  光源部
１６  制御部
１９  終端器
２０  照明器
２２  外被覆
２３  高分子系吸水材
２４  不変形部材
２５  水によって膨潤しないあるいは収縮しない部材
２６  光ファイバリング型センサ用終端器
２７  光ファイバ
２８  建造物
２９  出入り口
３０  通路
３１  壁
【図１】
0006630170.tif 000002
【図２】
0006630170.tif 000003
【図３】
0006630170.tif 000004
【図４】
0006630170.tif 000005
【図５】
0006630170.tif 000006
【図６】
0006630170.tif 000007
【図７】
0006630170.tif 000008